(57)【要約】【課題】発報、火災感知器異常等の火災報知設備におけるイベントが発生した場合、火災報知設備に接続されているプリンタに、そのイベント内容がプリントされる火災報知設備において、上記プリンタが異常であっても、この異常が発生している間に生じたイベントに関して、印字することができ、プリント用紙に印字された内容を通じて、そのイベントを確認することができる火災報知設備を提供することを目的とするものである。【解決手段】メモリと、プリンタの異常を検出するプリンタ異常検出手段と、上記プリンタ異常検出手段が上記プリンタの異常を検出した後に、上記プリンタで印字すべきであった印字データを上記メモリに退避させる印字データ退避制御手段とを有する火災報知設備である。【選択図】　図１
2004094810.tif 000002
【特許請求の範囲】
【請求項１】
メモリと；
プリンタの異常を検出するプリンタ異常検出手段と；
上記プリンタ異常検出手段が上記プリンタの異常を検出した後に、上記プリンタで印字すべきであった印字データを上記メモリに退避させる印字データ退避制御手段と；
を有することを特徴とする火災報知設備。
【請求項２】
メモリと；
プリンタの異常を検出するプリンタ異常検出手段と；
上記プリンタ異常検出手段が上記プリンタの異常を検出した後に、上記プリンタで印字すべきであった印字データを上記メモリに退避させる印字データ退避制御手段と；
上記プリンタの異常が回復したことを検出するプリンタ異常回復検出手段と；上記プリンタ異常回復検出手段が上記プリンタの異常回復を検出したら、上記メモリに退避されている印字データを、上記プリンタに印字させるプリンタ制御手段と；
を有することを特徴とする火災報知設備。
【請求項３】
プリンタを接続するプリンタ用接続端子と；
火災報知設備に関する所定の試験の結果を格納する試験結果データ格納メモリと；
上記試験結果データを上記プリンタに印字させる指令を生成するプリンタ印字指令生成手段と；
上記プリンタ印字指令生成手段からの指令を受けたときに、上記試験結果データを上記試験結果データ格納メモリから読み出し、上記プリンタ用接続端子を介して、上記読み出された試験結果データを上記プリンタに転送するデータ転送手段と；
を有することを特徴とする火災報知設備。
【発明の詳細な説明】
【０００１】
【発明の属する技術分野】
本発明は、火災報知設備に係り、特に、火災報知設備に接続されるプリンタの制御に関する。
【０００２】
【従来の技術】
火災受信機にプリンタが接続されている状態で、火災が発生した場合に、火災が発生した回線名、その発生の時刻等が、上記プリンタでプリントされる。また、火災受信機にプリンタが接続されている状態で、火災の移報制御をした場合に、その移報制御を実行した事実とその実行の時刻とが、上記プリンタにプリントされる。
【０００３】
また、発報、移報制御以外にも、火災感知器の異常、スイッチ状態の変化、回線の断線等、火災報知設備におけるイベントが発生した場合、火災受信機に接続されているプリンタに、そのイベント内容がプリントされる。
【０００４】
なお、従来技術文献として、たとえば、特開平１１−０９６４８０号公報がある。
【０００５】
【発明が解決しようとする課題】
ところで、火災受信機にプリンタが接続されている場合、そのプリンタ自体の故障、またプリンタの紙切れ等の異常が発生した場合、この異常が発生している間に生じたイベントに関する印字データは、破棄され、その後にプリンタの異常が復帰した場合、プリンタの回復以降に発生したイベントについてプリンタがプリントする。
【０００６】
つまり、プリンタが異常であった間に発生したイベントを印字することができない。したがって、プリンタが異常であった間に発生したイベントについては、たとえ重要な情報であっても、プリンタで印字した状態で確認することができないという問題がある。
【０００７】
上記問題は、中継器、表示機等の火災報知設備において、プリンタが接続されている場合も、上記と同様に生じる。
【０００８】
つまり、上記従来例では、発報、火災感知器異常等の火災報知設備におけるイベントが発生した場合、火災報知設備に接続されているプリンタに、そのイベント内容がプリントされる火災報知設備において、上記プリンタが異常であるときには、この異常が発生している間に生じたイベントに関して、印字することができず、プリント用紙に印字された内容を通じて、そのイベントを確認することができないという問題がある。
【０００９】
本発明は、発報、火災感知器異常等の火災報知設備におけるイベントが発生した場合、火災報知設備に接続されているプリンタに、そのイベント内容がプリントされる火災報知設備において、上記プリンタが異常であっても、この異常が発生している間に生じたイベントに関して、印字することができ、プリント用紙に印字された内容を通じて、そのイベントを確認することができる火災報知設備を提供することを目的とするものである。
【００１０】
【課題を解決するための手段】
本発明は、メモリと、プリンタの異常を検出するプリンタ異常検出手段と、上記プリンタ異常検出手段が上記プリンタの異常を検出した後に、上記プリンタで印字すべであった印字データを上記メモリに退避させる印字データ退避制御手段とを有する火災報知設備である。
【００１１】
また、本発明は、メモリと、プリンタの異常を検出するプリンタ異常検出手段と、上記プリンタ異常検出手段が上記プリンタの異常を検出した後に、上記プリンタで印字すべであった印字データを上記メモリに退避させる印字データ退避制御手段と、上記プリンタの異常が回復したことを検出するプリンタ異常回復検出手段と、上記プリンタ異常回復検出手段が上記プリンタの異常回復を検出したら、上記メモリに退避されている印字データを、上記プリンタに印字させるプリンタ制御手段とを有する火災報知設備である。
【００１２】
【発明の実施の形態および実施例】
図１は、本発明の第１の実施例である火災受信機ＲＥ１を示すブロック図である。
【００１３】
火災受信機ＲＥ１は、ＭＰＵ１０と、感知器Ｉ／Ｆ１１と、ＲＯＭ１２と、ＲＡＭ１３と、ＥＥＰＲＯＭ１４と、プリンタＩ／Ｆ１５と、プリンタＰとを有する。
【００１４】
感知器Ｉ／Ｆに、複数の感知器ＳＥ、ＳＥ、……が接続され、プリンタＩ／Ｆ１５にプリンタＰが接続されている。
【００１５】
ＭＰＵ１０は、火災受信機ＲＥ１の全体を制御するとともに、プリンタＰの異常を検出するプリンタ異常検出手段の例であり、プリンタ異常検出手段がプリンタＰの異常を検出した後に、プリンタＰで印字すべきであった印字データを上記メモリに退避させる印字データ退避制御手段の例であり、さらに、プリンタＰの異常が回復したことを検出するプリンタ異常回復検出手段であり、そして、プリンタ異常回復検出手段がプリンタＰの異常回復を検出したら、上記メモリに退避されている印字データを、プリンタＰに印字させるプリンタ制御手段の例である。
【００１６】
ＲＯＭ１２は、図２に示すフローチャートのプログラムを格納しているメモリであり、ＲＡＭ１３は、ワーク用のメモリである。
【００１７】
ＥＥＰＲＯＭ１４は、プリンタ異常検出手段がプリンタＰの異常を検出した後に、プリンタＰで印字すべきであった印字データを退避させるメモリである。
【００１８】
次に、上記実施例の動作について説明する。
【００１９】
図２は、火災受信機ＲＥ１の動作を示すフローチャートである。
【００２０】
まず、火災感知器ＳＥが異常になったり、火災発報したり、スイッチ状態が変化したり等、イベントが発生した場合（Ｓ１）、プリンタＰが正常であれば（Ｓ２）、そのイベントに関する発生時刻、イベント内容等を印字する（Ｓ３）。
【００２１】
ステップ２において、プリンタＰが異常であると判断されると、プリンタ異常用フラグをたて、このフラグをＲＡＭ１３に記憶し、メモリ１４にロギングデータを退避させる（ロギングさせる）（Ｓ４）。
【００２２】
そして、ステップＳ１に戻り、イベントが発生してないときに（Ｓ１）、メモリ１４にロギングデータが退避され（Ｓ１１）、プリンタＰが正常になれば（Ｓ１２）、ＲＡＭ１３に立てたプリンタ異常用フラグを取消し、ＥＥＰＲＯＭ１４にロギングされている（退避されている）ロギングデータを、プリンタＰにセットし（Ｓ１３）、そのロギングデータを印字する（Ｓ１４）。
【００２３】
なお、印字済みのロギングデータを消してもよく、ロギングデータを残す場合には、その全てを残すようにしてもよく、または所定期間過ぎたら自動的に消すようにしてもよい。
【００２４】
また、ＥＥＰＲＯＭ１４に記憶されているロギングデータのうちで、印字済みのデータの個々を示す情報、印字済みのデータの範囲を示す情報、印字済みのデータの末尾を示す情報、まだ印字していないデータの初めの位置を示す情報を、ＥＥＰＲＯＭ１４から読み取り、印字済みのロギングデータを除いて印字するようにしてもよい。また、その都度、全てのロギングデータを印字するようにしてもよい。
【００２５】
上記印字の仕方を予め設定し、この設定された仕方で自動的に印字するようにしてもよく、図示しない表示部に表示された過去のデータを見ながら、図示しない操作部で印刷範囲を、その都度選択するようにしてもよい。
【００２６】
図３は、上記実施例において、プリンタＰの印字例を示す図である。
【００２７】
図３（１）は、プリンタＰが正常である場合における印字例であり、図３（２）は、プリンタＰが異常であった後における印字例を示す図である。図３（２）に示す例は、プリンタＰが異常時に発生したイベントについて、プリンタＰの回復後に、印字し、このプリンタＰの異常中に発生したイベントについての印字が終了した後に、プリンタＰの回復後に発生したイベントについての印字が実行された例を示す図である。
【００２８】
したがって、上記実施例によれば、発報、火災感知器異常等の火災報知設備におけるイベントが発生した場合、火災報知設備に接続されているプリンタに、そのイベント内容がプリントされる火災報知設備において、上記プリンタが異常になっても、この異常が発生している間に生じたイベントに関する印字データを印字することができ、プリント用紙に印字された内容を通じて、そのイベントを確認することができる。
【００２９】
上記実施例は、火災受信機ＲＥ１についての例であるが、火災受信機ＲＥ１の代わりに、中継器、表示機等、他の火災報知設備にも上記実施例を適用することができる。
【００３０】
ところで、従来、火災感知器が自動試験を行うと、その試験の終了後に、上記試験結果をプリンタで印字し、自動試験結果記録紙を作成する。
【００３１】
この従来方法では、自動試験結果記録紙を紛失した場合には、その対応が困難であるという問題があり、また、火災受信機にプリンタを標準装備することによって、プリンタのコスト分、火災受信機の全体のコストが高くなるという問題がある。
【００３２】
これらの問題は、中継器、表示機等の火災報知設備において、プリンタが接続されている場合も、上記と同様に生じる。
【００３３】
つまり、本発明では、自動試験結果記録紙を紛失しても、その対応が容易であり、また、火災報知設備に、プリンタを標準装備する必要がない火災報知設備を提供することを目的とするものである。
【００３４】
図４は、本発明の第２の実施例である火災受信機ＲＥ２を示すブロック図である。
【００３５】
火災受信機ＲＥ２は、ＭＰＵ２０と、感知器Ｉ／Ｆ２１と、ＲＯＭ２２と、ＲＡＭ２３と、ＥＥＰＲＯＭ２４と、プリンタＩ／Ｆ２５と、スイッチＩ／Ｆ２６と、スイッチ２７と、表示Ｉ／Ｆ２８とを有する。
【００３６】
感知器Ｉ／Ｆ２１に、複数の感知器ＳＥ、ＳＥ、……が接続されている。
【００３７】
ＭＰＵ２０は、火災受信機ＲＥ２の全体を制御するとともに、図５に示すフローチャートのプログラムを実行するものである。つまり、ＭＰＵ２０は、試験結果データを試験結果データ格納メモリから読み出し、この読み出された試験結果データをプリンタＩ／Ｆを介してプリンタＰに転送するデータ転送手段の例である。
【００３８】
ＲＯＭ２２は、図５に示すフローチャートのプログラムを格納しているメモリである。ＲＡＭ２３は、ワーク用メモリである。
【００３９】
ＥＥＰＲＯＭ２４は、火災報知設備に関する所定の試験の結果を格納する試験結果データ格納メモリの例である。
【００４０】
プリンタＩ／Ｆ２５は、プリンタＰを接続するプリンタ用接続端子の一例である。
【００４１】
スイッチ２７は、上記試験結果データをプリンタＰに印字させる指令を生成するプリンタ印字指令生成手段の例である。
【００４２】
次に、火災受信機ＲＥ２の動作について説明する。
【００４３】
図５は、火災受信機ＲＥ２の動作を示すフローチャートである。
【００４４】
まず、火災感知器ＳＥの自動試験を実行中であれば（Ｓ２１）、ＥＥＰＲＯＭ２４に、上記自動試験の結果をロギングし（Ｓ２２）、ステップＳ２１に戻る。
【００４５】
自動試験を実行していなければ（Ｓ２１）、スイッチ２７を介して、自動試験の結果を印字する指令が発生されたか否かを判断し（Ｓ３１）、自動試験の結果を印字する指令が発生し、しかも、プリンタＰが火災受信機ＲＥ２に接続されていれば（Ｓ３２）、ＥＥＰＲＯＭ２４に格納されている試験結果データのうちで、たとえば１イベント分の試験結果を、古い方から順に、プリント用データとしてセットし（Ｓ３３）、このセットされたプリント用データを印字する（Ｓ３４）。
【００４６】
印字すべきイベントの試験結果データが残っている場合は（Ｓ３５）、ステップＳ３３に戻り、完了するまで繰り返す。このときに、表示Ｉ／Ｆ２８に接続された図示しない表示部を見ながら、図示しない操作部を介して、所望の試験結果範囲を選択し、メモリ中の選択された試験結果をセットし（Ｓ３３）、このセットされたプリント用データを印字する（Ｓ３４）ようにしてもよい。
【００４７】
図６は、第２の実施例において、自動試験結果のロギングデータを印字した例を示す図である。
【００４８】
そして、プリンタＰにセットされた試験結果データが全て印字されると（Ｓ３５）、終了する。
【００４９】
上記第２の実施例によれば、自動試験の結果が記録されている用紙である自動試験結果記録紙を紛失しても、この紛失した自動試験結果記録紙に記録されていたロギングデータと同じデータがＥＥＰＲＯＭ２４にまだ残っているので、この残っているロギングデータを使用して、印刷することによって、上記紛失した自動試験結果記録紙を再び作成することができるので、その対応が容易である。
【００５０】
また、上記第２の実施例によれば、プリントを必要とするときにのみ、火災受信機ＲＥ２にプリンタＰを接続し、プリントすれば足り、１台のプリンタＰを複数の火災受信機にいわゆる使い回しをすることができ、したがって、火災受信機にプリンタを標準装備する必要がなく、火災受信機の製造コストを低下させることができる。
【００５１】
なお、上記第２実施例において、プリンタ用接続端子を介して転送された試験結果データを、モデムやパソコン等を通じて、プリンタの代わりに、フロッピー（登録商標）ディスク等、外部メモリに取り込むようにしてもよい。
【００５２】
このようにすると、現場に専用のプリンタがなくても、上記外部メモリから、試験結果をパソコンで閲覧でき、一般のプリンタによって、試験結果を印字できるようになる。
【００５３】
また、第２の実施例を、中継器、表示機等、他の火災報知設備にも適用することができる。上記第２の実施例を適用する火災報知設備を、火災受信機、中継器、表示機のうちの少なくとも１つに設けるようにしてもよい。
【００５４】
なお、上記２つの実施例において、データロギング用のメモリを、火災受信機等の火災報知設備に着脱可能に設け、必要に応じて、上記メモリを外し、別の所に設置されているプリンタで印字できるようにしてもよい。この場合、メモリ用インタフェースを介して、火災受信機等のＭＰＵに、メモリを着脱できるようにする。
【００５５】
【発明の効果】
請求項１、２記載の発明によれば、発報、火災感知器異常等の火災報知設備におけるイベントが発生した場合、火災報知設備に接続されているプリンタに、そのイベント内容がプリントされる火災報知設備において、プリンタが異常であっても、この異常が発生している間に生じた印字データを印字することができ、プリント用紙に印字された内容を通じて、そのイベントを確認することができるという効果を奏する。
【００５６】
請求項３記載の発明によれば、自動試験の結果が記録されている用紙である自動試験結果記録紙を紛失しても、その対応が容易であり、また、火災報知設備に、プリンタを標準装備する必要がないという効果を奏する。
【図面の簡単な説明】
【図１】本発明の第１の実施例である火災受信機ＲＥ１を示すブロック図である。
【図２】火災受信機ＲＥ１の動作を示すフローチャートである。
【図３】上記実施例において、プリンタＰの印字例を示す図である。
【図４】本発明の第２の実施例である火災受信機ＲＥ２を示すブロック図である。
【図５】火災受信機ＲＥ２の動作を示すフローチャートである。
【図６】第２の実施例において、自動試験結果のロギングデータを印字した例を示す図である。
【符号の説明】
ＲＥ１、ＲＥ２…火災受信機、
１０、２０…ＭＰＵ、
１１、２１…感知器Ｉ／Ｆ、
１２、２２…ＲＯＭ、
１３、２３…ＲＡＭ、
１４、２４…ＥＥＰＲＯＭ、
１５、２５…プリンタＩ／Ｆ、
２６…スイッチＩ／Ｆ、
２７…スイッチ、
２８…表示Ｉ／Ｆ、
ＳＥ…火災感知器、
Ｐ…プリンタ。
【図１】
2004094810.tif 000003
【図２】
2004094810.tif 000004
【図３】
2004094810.tif 000005
【図４】
2004094810.tif 000006
【図５】
2004094810.tif 000007
【図６】
2004094810.tif 000008